(57)【要約】【課題】錠（錠箱）や受体を取り付けるための扉や枠への加工が極めて簡単で、しかも建築現場でも扉や枠への錠（錠箱）や受体取付用の加工ができ、さらに扉の構造や枠の状況によって、錠（錠箱）や受体の取り付けが制約されることがない。【解決手段】  少なくともラッチボルト１１と該ラッチボルト１１を出没させる作動機構とを有するラッチ錠１０と、扉ａの開く方向に対して押し操作または引き操作ができるように保持された室内側ハンドル２０および室外側ハンドル３０と、ハンドル２０，３０の押し又は引きの操作によりラッチ錠１０のラッチボルト１１を後退又は後退を許容させて開扉可能としてなるプッシュ・プル式の扉錠であり、ラッチ錠１０は錠箱１内に収納し、少なくともラッチ錠のラッチボルトを錠箱から出没できるようにし、錠箱１は扉ａの室内側の扉面に面付けする共に、錠箱１の表面側に取り付ける室内側ハンドル２０と、扉ａの室外側の扉面側に取り付ける室外側ハンドル３０とを固定してあることを特徴とする。【選択図】図４
2010159613.tif 000002
【特許請求の範囲】
【請求項１】
少なくともラッチボルトと該ラッチボルトを出没させる作動機構とを有するラッチ錠と、扉の開く方向に対して押し操作または引き操作ができるように保持された室内側ハンドルおよび室外側ハンドルと、このハンドルの押し又は引きの操作によりラッチ錠のラッチボルトを後退又は後退を許容させて開扉可能としてなるプッシュ・プル式の扉錠であって、
前記ラッチ錠は錠箱内に収納して、少なくともラッチ錠のラッチボルトを錠箱から出没できるようにしてあり、
前記錠箱は扉の室内側の扉面に面付けするとともに、この錠箱の表面側に取り付ける室内側ハンドルと、扉の室外側の扉面側に取り付ける室外側ハンドルとを固定してあることを特徴とするプッシュ・プル式の扉錠。
【請求項２】
前記錠箱内に収納されたラッチ錠の上部に、デットボルトよりなる本締錠を錠箱内に収納し、前記室内側ハンドルの上部にサムターンを設けると共に、前記室外側ハンドルの上部にシリンダーを設け、このサムターンまたはシリンダーの操作によって、デットボルトを錠箱から出没するようにしてある請求項１に記載のプッシュ・プル式の扉錠。
【請求項３】
前記錠箱内に収納されたラッチ錠の上部と下部に、デットボルトよりなる本締錠を錠箱内に収納し、前記室内側ハンドルの上部と下部にサムターンを設けると共に、前記室外側ハンドルの上部と下部にシリンダーを設け、このサムターンまたはシリンダーの操作によって、デットボルトが錠箱から出没するようにしてある請求項１に記載のプッシュ・プル式の扉錠。  
【請求項４】
前記ラッチ錠及び／又は本締錠は既存のラッチ錠及び／または既存の本締錠を使用し、該ラッチ錠の錠ケース及び／又は本締錠の錠ケースを錠箱のラッチ錠収納部または本締錠収納部に収納してある請求項１〜３のいずれかに記載のプッシュ・プル式の扉錠。
【請求項５】
少なくともラッチ錠のラッチボルト係合用の受孔を形成した受体を、枠に面付して取り付けてある請求項１〜４のいずれかに記載のプッシュ・プル式の扉錠。
【発明の詳細な説明】
【技術分野】
【０００１】
本発明は、扉の開放方向にハンドルを押し又は引く操作によって、ラッチ錠を解錠すると共に扉を開けることができる、所謂プッシュ・プル錠であって、錠箱を扉の表面に取り付けてなる面付式の扉錠に関するものである。
【背景技術】
【０００２】
近年、住宅の玄関扉の大型化に伴い、デザイン性に優れた大型のハンドルを使用したプッシュ・プル錠が玄関扉の錠として多く採用されているが、そのプッシュ・プル錠は、例えば特開平１０−３１１１７３号公報（特許文献１）の図２及び図３に記載されているように、錠箱や受体は扉や枠に埋設して取り付けているものであった。
【先行技術文献】
【特許文献】
【０００３】
【特許文献１】特開平１０−３１１１７３号公報
【発明の概要】
【発明が解決しようとする課題】
【０００４】
しかしながら、上記特許文献１等の従来のプッシュ・プル錠では、錠箱や受体を扉や枠に埋設して取り付ける必要があり、そのための扉や枠への加工は非常に複雑なものであり、扉や枠の加工費用が嵩むものであった。そればかりでなく、建築現場で、錠や受体を取り付けるための扉や枠への加工ができないため、別途に、扉や枠の製造工場で扉や枠に錠や受体取付用の加工を行う必要があり、枠や扉が取り付けられる迄は開口部の壁工事などを行うことはできず、その分、建築物の工期が長くなるという欠点があった。また、既設の扉や枠に上記従来のプッシュ・プル錠を取り付けることは困難であった。さらに、扉の構造や枠の状況によっては錠箱や受体を埋設するスペースが不足するために、取り付け不可能な場合もあり、プッシュ・プル錠を使用することができないという問題もあった。
【０００５】
そこで、本発明は、上記問題点を解消するために、錠（錠箱）や受体を取り付けるための扉や枠への加工が極めて簡単で、しかも建築現場でも扉や枠への錠（錠箱）や受体取付用の加工ができ、さらに扉の構造や枠の状況によって、錠（錠箱）や受体の取り付けが制約されることのないプッシュ・プル式の扉錠を提供することを目的とする。
【課題を解決するための手段】
【０００６】
上記目的を達成するため、本発明の請求項１のプッシュ・プル式の扉錠は、少なくともラッチボルトと該ラッチボルトを出没させる作動機構とを有するラッチ錠と、扉の開く方向に対して押し操作または引き操作ができるように保持された室内側ハンドルおよび室外側ハンドルと、このハンドルの押し又は引きの操作によりラッチ錠のラッチボルトを後退又は後退を許容させて開扉可能としてなるプッシュ・プル式の扉錠であって、前記ラッチ錠は錠箱内に収納して、少なくともラッチ錠のラッチボルトを錠箱から出没できるようにしてあり、前記錠箱は扉の室内側の扉面に面付けするとともに、この錠箱の表面側に取り付ける室内側ハンドルと、扉の室外側の扉面側に取り付ける室外側ハンドルとを固定してあることを特徴とする。
【０００７】
ここで、「ラッチ錠」とは、ラッチボルトと該ラッチボルトを出没させる作動機構とを有する公知の構造のものである。そして、「ラッチボルトを出没させる作動機構」とは、例えば特許文献１で言うと、ロッキングピース、ラッチバネ、室内側ハンドル及び室外側ハンドルと連結された作動板、室内外ハンドルの押し又は引き操作により前記ロッキングピースを係合解除するためのスライダーなどからなっており、その具体的構成は限定しないものである。また、「ラッチボルト」は特許文献１にも示されているように反転式ラッチの方が好ましいが、反転式でないラッチボルトでも構わない。
【０００８】
前記錠箱は、少なくともラッチ錠が収納されるとともに、扉の室内側の扉面に直接又は関接に面付けでき、表面側には室内側のハンドルが取り付けできるものであればよく、その具体的構成は、適宜設計変更できる。
【０００９】
請求項２のプッシュ・プル式の扉錠は、前記錠箱内に収納されたラッチ錠の上部に、デットボルトよりなる本締錠を錠箱内に収納し、前記室内側ハンドルの上部にサムターンを設けると共に、前記室外側ハンドルの上部にシリンダーを設け、このサムターンまたはシリンダーの操作によって、デットボルトを錠箱から出没するようにしてある。これによれば、ラッチボルトによる仮施錠だけでなく、１個のデッドボルトによる本締錠の機能をもつ。
【００１０】
請求項３のプッシュ・プル式の扉錠は、前記錠箱内に収納されたラッチ錠の上部と下部に、デットボルトよりなる本締錠を錠箱内に収納し、前記室内側ハンドルの上部と下部にサムターンを設けると共に、前記室外側ハンドルの上部と下部にシリンダーを設け、このサムターンまたはシリンダーの操作によって、デットボルトが錠箱から出没するようにしてある。これによれば、２個のデットボルトにより、２個所を本締できる、いわゆるツーロックができる。
【００１１】
請求項４のプッシュ・プル式の扉錠は、前記ラッチ錠及び／又は本締錠は既存のラッチ錠及び／又は既存の本締錠を使用し、該ラッチ錠の錠ケース又は本締錠の錠ケースを錠箱のラッチ錠収納部又は本締錠収納部に収納してある。これによれば、既存の錠をそのまま
使用できるので、新たに錠製作用の金型等の投資が不要で安価に提供できる。また、例えば既設のラッチ錠又は本締錠が破損等した場合に、同種の既存のラッチ錠又は本締錠の錠ケースを、錠箱のラッチ錠収納部又は本締錠収納部に簡単に素早く取り替えできるため、取替作業が簡単で迅速に行える利点がある。
【００１２】
請求項５のプッシュ・プル式の扉錠は、少なくともラッチ錠のラッチボルト係合用の受孔を形成した受体を、枠に面付して取り付けてある。これによれば、受体の取り付けが簡単であるばかりでなく、受体が破損などした場合に、既存の枠に、新品の受体を簡単に素早く取り付けできると共に、受体の取付作業の低コストが実現できる利点がある。  
【００１３】
なお、本発明においては、前記受体を枠に面付けする構成は必須ではなく、実施例で示す如く、枠自体に少なくともラッチ錠のラッチボルトが出没される受孔を形成したものでもよい。また、本発明は、ラッチ錠だけでデットボルトよりなる本締錠を設けていない扉錠にも適用できる。
【発明の効果】
【００１４】
請求項１のプッシュ・プル式の扉錠によれば、前記ラッチ錠は錠箱内に収納して、少なくともラッチ錠のラッチボルトを錠箱から出没できるようにしてあり、前記錠箱は扉の室内側の扉面に面付けするとともに、この錠箱の表面側に取り付ける室内側ハンドルと、扉の室外側の扉面側に取り付ける室外側ハンドルとを固定してあるから、従来のように錠箱を扉に埋設して取り付けるための非常に複雑な加工が不要で、錠（錠箱）を取り付けるための扉には穴やネジ穴のみを加工すればよいため、加工が極めて簡単で、扉への錠（錠箱）の取り付けが簡単で迅速に行える。しかも、建築現場でも扉への錠（錠箱）取り付け用の加工ができるので、施工性が良く、建築物の工期短縮が可能となる。すなわち、建築物の開口部の壁工事は、扉や枠を取り付けてから進められるものであり、従来の埋設型扉錠の場合では、扉や枠に錠取付用の加工が済むのを待つ必要があり、その分建築物の工期が長くなるという大きな問題点があったが、本願発明では、錠や受体取付用の加工を建築現場でもできるので、先に扉や枠を取り付けできるため、建築物の工期が短縮できる。さらに、扉の構造や枠の状況によって、錠（錠箱）や受体の取り付けが制約されることがない。
【００１５】
請求項２のプッシュ・プル式の扉錠によれば、前記錠箱内に収納されたラッチ錠の上部に、デットボルトよりなる本締錠を錠箱内に収納し、前記室内側ハンドルの上部にサムターンを設けると共に、前記室外側ハンドルの上部にシリンダーを設け、このサムターンまたはシリンダーの操作によって、デットボルトが錠箱から出没できるようにしてあるから、請求項１の効果に加え、ラッチボルトによる仮施錠だけでなく、１個のデットボルトによる本施錠ができる。
【００１６】
請求項３のプッシュ・プル式の扉錠によれば、前記錠箱内に収納されたラッチ錠の上部に、デットボルトよりなる本締錠を錠箱内に収納し、前記室内側ハンドルの上部と下部にサムターンを設けると共に、前記室外側ハンドルの上部と下部にシリンダーを設け、このサムターンまたはシリンダーの操作によって、デットボルトが錠箱から出没するようにしてあるから、請求項１の効果に加え、２個のデットボルトにより、２個所を本締できる、いわゆるツーロックができる。
【００１７】
請求項４のプッシュ・プル式の扉錠によれば、前記ラッチ錠及び／又は本締錠は既存のラッチ錠及び／又は既存の本締錠を使用し、該ラッチ錠の錠ケース又は本締錠の錠ケースを錠箱のラッチ錠収納部又は本締錠収納部に収納してあるから、既存の錠をそのまま使用できるので、新たに錠製作用の金型等の投資が不要で安価に提供できる。また、例えば既設のラッチ錠又は本締錠が破損等した場合に、同種の既存のラッチ錠又は本締錠の錠ケースを、錠箱のラッチ錠収納部又は本締錠収納部に簡単に素早く取り替えできるため、取替作業が簡単で迅速に行える利点がある。
【００１８】
請求項５のプッシュ・プル式の扉錠によれば、少なくともラッチ錠のラッチボルト係合用の受孔を形成した受体は、枠に面付して取り付けてあるから、受体の取り付けが簡単であるばかりでなく、受体が破損などした場合に、既存の枠に、新品の受体を簡単に素早く取付けできると共に、受体の取付作業の低コストが実現できる利点がある。
この場合も、建築現場でも枠への受体用の加工ができるので、施工性が良く、建築物の工期短縮が可能となるし、枠の状況によって受体の取り付けが制約されることがない。
【図面の簡単な説明】
【００１９】
【図１】扉の開放端側から見た本発明の実施例１のプッシュ・プル式の扉錠の側面図である。
【図２】図１の一部を断面で示した拡大平面図である。
【図３】室内側ハンドルの押し操作によりラッチ錠のラッチボルトを後退させて少し開扉した状態を示した実施例１の斜視図である。
【図４】実施例１におけるプッシュ・プル式の扉錠の構成部品を扉に取り付ける場合の分解斜視図である。
【図５】錠箱の裏面側に座をネジで固定する状態を示した部分断面図である。
【図６】枠に受体を組付ける一例を示した分解斜視図である。
【図７】図６において、枠のネジ穴にネジを螺合して受体を枠に固定した状態を示した部分断面図である。
【図８】既存のラッチ錠及び本締錠を錠箱に収納した本発明の実施例２の要部を断面した平面図である。
【図９】実施例２におけるプッシュ・プル式の扉錠の構成部分を扉に取り付ける場合の分解斜視図である。
【図１０】一個のデッドボルトと一個のサムターンとを備え、扉の開放端側から見た本発明の実施例３のプッシュ・プル式の扉錠の側面図である。
【図１１】図１０の室内側ハンドルと室外側ハンドルとの分解斜視図である。
【図１２】枠に受孔を形成して受体を設けないようにした、図２に相当する本発明の実施例４の平面図である。
【図１３】室内側ハンドルと室外側ハンドルの変形例を示す斜視図である。
【発明を実施するための形態】
【００２０】
本発明は、一言すれば、プッシュ・プル式の扉錠において、少なくともラッチ錠を収納した錠箱を扉の室内側の扉面に面付けすることに特徴を有し、そのラッチ錠が、請求項１では独自のラッチ錠を錠箱に収納してあり、請求項４では既存のラッチ錠の錠ケース及び／または既存の本締錠の錠ケースを錠箱のラッチ錠収納部または本締錠収納部に収納してあるものである。
また、施工工事等を考慮して、請求項５に記載の如く受孔を形成した受体を枠に面付けして取り付ける構成とすれば、最善なものとなる。
【実施例１】
【００２１】
本発明の実施例１を図１〜図７に基づいて以下に説明する。これは請求項３、５に基づいたものである。
【００２２】
このプッシュ・プル式の扉錠は、少なくともラッチボルト１１と該ラッチボルト１１を出没させる作動機構（図示せず）とを有するラッチ錠１０を収納した錠箱１と、扉ａの開く方向に対して押し操作または引き操作ができるように保持された室内側ハンドル２０および室外側ハンドル３０と、枠ｂに面付けして取り付けられる、少なくともラッチ錠１０のラッチボルト１１係合用の受孔６１を形成した受体６０とを備えている。
そして、前記室内側ハンドル２０および室外側ハンドル３０の押し又は引きの操作によりラッチ錠１０のラッチボルト１１を後退又は後退を許容させて開扉できるようにしてある。
【００２３】
前記錠箱１は、裏面側を開口した箱状であって、その箱状の側部（図２、図４では左側部）の上部にはラッチ錠１０となるラッチボルト１１が出没する出入口２と、該ラッチ錠１０（ラッチボルト１１）の上部と下部には本締錠４０となるデッドボルト４１、４１が出没する出入口３、３とを形成してある。
【００２４】
この錠箱１内には、前記出入口２にラッチボルト１１が出没できるようにラッチ錠１０が収納してあると共に、前記出入口３、３にデッドボルト４１、４１が出没できるように
本締錠４０が収納してある。また、前記錠箱１内には、ラッチボルト１１を錠箱１から出没させる作動機構（図示せず）が収納されている。この作動機構とは、例えば特許文献１で示されているような、ロッキングピース、ラッチバネ、室内側ハンドル及び室外側ハンドルと連結された作動板、室内外ハンドルの押し又は引き操作により前記ロッキングピースを係合解除するためのスライダーなどからなっており、その具体的構成は限定しないものであり、適宜設計変更できる。さらに、前記錠箱１内には、デッドボルト４１を出没させるためのデッドハブやバネ（図示せず）が収納されている。
【００２５】
前記錠箱１は、扉ａの室内側の扉面に直接又は間接に面付けするとともに、この錠箱１の表面側に取り付ける室内側ハンドル２０と、扉ａの室外側の扉面側に取り付ける室外側ハンドル３０とを固定してある。
【００２６】
前記室内側ハンドル２０は、上部と下部にサムターン２１、２２を設けてあり、このサムターン２１、２２の操作によってデットボルト４１が錠箱１から出没するようにしてある。
【００２７】
室外側ハンドル３０は、上部と下部に本締錠４０としてのシリンダー４２を設けており、このシリンダー４２に設けた鍵穴（図示せず）に合鍵を差し込み回動することにより、デットボルト４１が錠箱１から出没するようにしてある。
【００２８】
そこで、実施例１におけるプッシュ・プル式の扉錠の取付方法の一例を、図４に基づいて以下に説明する。
なお、この実施例１のプッシュ・プル式の扉錠は、室外側から見て左吊元で右外開きの扉ａに取り付けているが、右吊元で外開きの扉ａにも取り付けできるのは勿論であり、また各々内開きの扉にも取り付けできる。
【００２９】
先ず、扉ａに、適数の穴ａ１、ａ２、ａ３、ａ４とネジ穴ａ５・・・ａ５を形成する。
そして、扉ａの室内側の扉面に座７０を当てがって、座取付用ネジ７１・・・７１を扉ａに形成したネジ穴ａ５・・・ａ５に螺合することによって、図２に示されている如く、座７０が扉ａの室内側の扉面に面付けされる。
【００３０】
次に、前記座７０の上部と下部には、図５に示す如くバーリング加工した錠箱取付用ネジ穴７２、７２、７２、７２が形成されている。この座７０に錠箱１の裏面を当接して、該錠箱１の表面側から錠箱取付用ネジ４、４、４、４を前記錠箱取付用ネジ穴７２、７２、７２、７２に螺合することによって、図２に示されている如く、錠箱１が扉ａの室内側の扉面に面付けされる。
【００３１】
最後に、扉ａの室外側の扉面側から室外側ハンドル３０を、前記錠箱１の表面側に室内側ハンドル２０を取り付ける。室外側ハンドル３０の上部と下部に設けたハンドル取付用の取付柱３１、３１、３２、３２とシリンダー軸４３、４４とを、扉ａの穴ａ１、ａ４に嵌挿し、前記取付柱３１、３１、３２、３２は、座７０の上部と下部に形成した貫通穴７３、７３、７４、７４、錠箱１の上部と下部に形成した貫通穴７、７、８、８、室内側ハンドル２０の上部と下部に形成した貫通穴２６、２６、２７、２７に嵌挿して、該取付柱３１、３１、３２、３２の先端に形成された雌ねじ部に室内側ハンドル２０の表面からハンドル取付用ネジ２８、２８、２９、２９を螺合して、室内側ハンドル３０とを扉ａに固定する。
【００３２】
なお、図４で、室内側ハンドル２０の上部と下部にはサムターン軸２３、２４が設けられており、このサムターン軸２３、２４は、錠箱１の上部と下部に設けられたハブ穴５，５に嵌挿される。また、同図４で２５はラッチボルト操作用の作動片で、錠箱１の作動片嵌挿穴６に嵌挿される。
【００３３】
また、図４で、シリンダー軸４３、４４は、座７０の上部と下部に形成された貫通穴７５、７６を介して錠箱１に内装されたデッドハブ（図示せず）のハブ穴に係合されている。同図４で、４５はラッチボルト操作用の作動片であって、この作動片４５は扉ａの穴ａ２と座７０の穴７７を介して錠箱１内に臨ませてある。
【００３４】
この実施例１では、受体６０は枠ｂに面付けしてあるので、これについて図２、図３、図６及び図７に基づいて以下に詳説する。
図６に示す如く、枠ｂの受体６０が面付けされる個所には、複数のネジ穴ｂ１、ｂ２、ｂ３、ｂ４だけを形成するとよい。そして、受体６０は、縦長の箱状に形成し、前記枠ｂのネジ穴ｂ１、ｂ２、ｂ３、ｂ４に対応する位置には貫通穴６４、６５、６６、６７を形成するとともに、前記ラッチボルト１１係合用の受孔６１の上部と下部にはデッドボルト４１、４１係合用の受孔６２、６３を形成してある。
【００３５】
そこで、枠ｂに受体６０を取り付ける場合には、枠ｂの各ネジ穴ｂ１〜ｂ４に受体６０の各貫通穴６４〜６７を位置合わせして、各貫通穴６４〜６７にそれぞれパイプ６８を嵌挿し、このパイプ６８にそれぞれネジ６９を嵌挿して、該ネジ６９を各ネジ穴ｂ１〜ｂ４に螺合し、図７に示す如く受体６０を枠ｂに固定している。                          
【実施例２】
【００３６】
本発明の実施例２を図８と図９に基づいて以下に説明する。これは請求項４、５に基づいたものである。  
【００３７】
このプッシュ・プル式の扉錠は、前記ラッチ錠及び本締錠として、既存のラッチ錠１０及び既存の本締錠４０を使用し、該ラッチ錠１０の錠ケース１０Ａと本締錠４０の錠ケース４０Ａを、それぞれ錠箱１の側部に形成したラッチ錠収納部１Ａまたは本締錠収納部１Ｂに出し入れ自在に収納するようにしたことに顕著な特徴を有する。
この実施例２の場合、前記ラッチ錠１０の錠ケース１０Ａには、ラッチボルト１１からなるラッチ錠１０のほかに、デッドボルト４１からなる本締錠４０も収納されている。
なお、前記ラッチ錠１０の錠ケース１０Ａと本締錠４０の錠ケース４０Ａの内部機構は、公知のものであり、本件発明とは関係がないので説明を省略する。
【００３８】
また、この実施例２の座７０は、実施例１と同様に構成した縦長の一枚の板を採用し、その板の上部と下部の左右に，４対の突片７８，７８を突設するとともに、各突片７８，７８にはネジ穴７８ａ，７８ａが形成されている。この座７０の扉ａの取り付けは、前記実施例１と同様、ネジ７１、７１で扉ａに加工したネジ穴ａ５、ａ５に螺合して取り付ける。
【００３９】
一方、錠箱１のラッチ錠収納部１Ａ及び本締錠収納部１Ｂの上部と下部の左右側壁には、穴９ａ、９ｂを形成している。
そこで、図９の状態で、錠箱１と座７０を組み付ける一例を以下に説明する。先ず、図９の状態で、前記の通り座７０を扉ａに取り付けた後、座７０の上から錠箱１を覆い被せて錠箱１の収納室１Ｃに裏面側から前記座７０を収納する。そして、錠箱１の穴９ａ、９ｂと座７０の突片７８に形成したネジ穴７８ａとを位置合わせして、右側壁の穴９ｂから，ネジ８１を座７０の突片７８のネジ穴７８ａにねじ込み、錠箱１を座７０に固定する。
次に、錠箱１のラッチ錠収納部１Ａにラッチ錠の錠ケース１０Ａを嵌装するとともに、本締錠収納部１Ｂに本締錠の錠ケース４０Ａを嵌装する。そして、錠ケース１０Ａの取付穴１２、１２と錠ケース４０Ａの取付穴４６、４６とをそれぞれ、錠箱１の穴９ａ、９ａと座７０の突片７８のネジ穴７８ａ、７８ａに一致させ、ネジ８０、８２でねじ込み固定する。
即ち、ラッチ錠の錠ケース１０Ａおよび本締錠の錠ケース４０Ａは、座７０を介して扉に取り付け固定された錠箱１に取り付け固定される。（図８参照）。
【００４０】
図８の如く扉ａの室内側の扉面に面付けした状態において、錠箱１内の錠ケース１０Ａと４０Ａを取り替えたい場合には、扉ａを開放した状態で、前記ネジ８０，８１，８２，８３を取り外してから、座７０を螺着している座取付用ネジ７１を取り外すと該座７０が扉ａから取り外せる。そこで、錠箱１の収納室１Ｃに収納されている錠ケース１０Ａ、４０Ａを取り出し、新規な別の錠ケース１０Ａ、４０Ａを錠箱１のラッチ錠収納室１Ａ又は本締錠収納室１Ｂに収納して、前述した順序で座７０に取り付けるとよい。
【００４１】
室内側ハンドル２０と室外側ハンドル３０とは、前記実施例１のものと同一構成であり、取り付け方法も同じである。また座７０の取付用ネジ７１や貫通穴７３〜７６や穴７７等も実施例１のものと同一構成であり、プッシュ・プル式の扉錠の取付方法は前記実施例１のものを参照するとよい。
【００４２】
なお、本発明は、実施例２の構成において、ラッチボルト１１とデッドボルト４１とを有する上部に設けた錠ケース１０Ａのみの構成とし、下部のデッドボルト４１を有する錠ケース４０Ａを設けない構成のものを採用することができる。
また、上部の錠ケース４０Ａにはデッドボルトを設けずラッチボルト１１のみとするとともに、下部のデッドボルト４１を有する錠ケース４０Ａを設けない構成も採用することができる。その他適宜に設計を変更できる。
【実施例３】
【００４３】
本発明の実施例３を図１０と図１１に基づいて以下に説明する。これは請求項２に基づいたものである。
【００４４】
この実施例３のプッシュ・プル式の錠箱１は、前記実施例１の変形例であって、ワンロック・ワンサムターン式のものである。
すなわち、前記錠箱１内に収納されたラッチ錠１０の上部に、デットボルト４１よりなる本締錠４０を錠箱１内に収納し、前記室内側ハンドル２０の上部にサムターン２１を設けると共に、前記室外側ハンドル３０の上部にシリンダー４２を設け、このサムターン２１またはシリンダー４２の操作によって、デットボルト４１を錠箱１から出没するようにしてある。その他の構成は前記実施例１を参照するとよい。
【実施例４】
【００４５】
本発明の実施例４を図１２に基づいて以下に説明する。
前記実施例１、２、３では、ラッチボルト１１やデッドボルト４１が係合される受孔６１は枠ｂに面付けされる受体６０に設けてあるが、この実施例４では前記受体６０を設けることなく、枠ｂ自体に受孔９１を形成したものである。その他の構成は実施例１と同様としているので、実施例１の説明を参照するとよい。
【００４６】
この実施例４のものは、前記実施例２、３に適用することもできる。
【００４７】
（その他の変形例）
室内側ハンドル２０と室外側ハンドル３０の形状は、実施例１〜４においては同一構成
のものを採用している。但し、実施例３では、室内側ハンドル２０の下部にサムターン２２が設けられていないと共に、室外側ハンドル３０の下部にシリンダー４２が設けられていない点では少し異なる。
しかしながら、室内側ハンドル２０と室外側ハンドル３０は、実施例１〜４の形状に限定されるものではなく、適宜形状を採り得るものである。
【００４８】
例えば、図１３に示す如く、円筒状の室内側ハンドル２０の上部と下部にアーム９２、９３を延設し、このアーム９２、９３にそれぞれサムターンケース９４、９５を連結し、両サムターンケース９４、９５にサムターン２１、２２を設ける。一方、円筒状の室外側ハンドル３０の上部と下部にもアーム９６、９７を延設し、このアーム９６、９７にそれぞれシリンダー４２、４２を設けており、図４のハンドル２０、３０と同様なものは同一符号を付している。  
【００４９】
また、各実施例で示した錠箱１は、扉ａの室内側の扉面に対して、該扉ａの上下両端近くまで延設することもできる。
【符号の説明】
【００５０】
１          錠箱
１０        ラッチ錠
１０Ａ      ラッチ錠の錠ケース
１１        ラッチボルト
２０        室内側ハンドル
２１        サムターン
３０        室外側ハンドル
４０        本締錠
４０Ａ      本締の錠ケース
４１        デッドボルト
４２        シリンダー
５０        受体
６１        受孔
６２        受孔
６３        受孔
７０        座
７８        突片
９１        受孔
ａ          扉
ｂ          枠
【図１】
2010159613.tif 000003
【図２】
2010159613.tif 000004
【図３】
2010159613.tif 000005
【図４】
2010159613.tif 000006
【図５】
2010159613.tif 000007
【図６】
2010159613.tif 000008
【図７】
2010159613.tif 000009
【図８】
2010159613.tif 000010
【図９】
2010159613.tif 000011
【図１０】
2010159613.tif 000012
【図１１】
2010159613.tif 000013
【図１２】
2010159613.tif 000014
【図１３】
2010159613.tif 000015